(57)【特許請求の範囲】
【請求項１】
試薬容器内の試薬を用いて検体の分析を行う検体分析装置であって、
試薬に関する試薬情報が記録された第１電子タグが付された第１試薬容器を保持する第１試薬容器保持部、および、試薬に関する試薬情報が記録された第２電子タグが付された第２試薬容器を保持するとともに、前記第１試薬容器保持部の一方側に配置される第２試薬容器保持部を内部に備えた試薬設置部と、
前記第１電子タグに記録された試薬情報および前記第２電子タグに記録された試薬情報を読み取る試薬情報読取部と、
制御部と、を備え、
前記試薬情報読取部は、前記第１試薬容器保持部の他方側の前記試薬設置部内に配置され、到達範囲が互いに異なる複数の電波を発信する電波発信部を含み、
前記制御部は、読取対象が前記第１試薬容器に付された前記第１電子タグである場合には、前記電波発信部から第１到達範囲の電波が発信され、読取対象が前記第２試薬容器に付された前記第２電子タグである場合には、前記電波発信部から前記第１到達範囲よりも大きい第２到達範囲の電波が発信されるように前記試薬情報読取部を制御する、検体分析装置。
【請求項２】
前記電波発信部は、到達範囲の異なる前記複数の電波を選択的に発信する共用アンテナ部を含み、
前記制御部は、読取対象が前記第１電子タグであるか前記第２電子タグであるかに応じて、前記共用アンテナ部から発信される電波を切り替えるように前記試薬情報読取部を制御する、請求項１に記載の検体分析装置。
【請求項３】
前記第１試薬容器保持部および前記共用アンテナ部の少なくとも一方を移動させる駆動部をさらに備え、
前記制御部は、読取対象が前記第２電子タグである場合には、前記共用アンテナ部に対向する位置から前記第１試薬容器を退避させるように前記駆動部を制御する、請求項２に記載の検体分析装置。
【請求項４】
前記電波発信部は、第１到達範囲の電波を発信する第１アンテナ部と、第２到達範囲の電波を発信する第２アンテナ部とを含み、
前記制御部は、読取対象が前記第１電子タグであるか前記第２電子タグであるかに応じて、電波を発信する前記電波発信部を前記第１アンテナ部または前記第２アンテナ部に切り替えるように前記試薬情報読取部を制御する、請求項１に記載の検体分析装置。
【請求項５】
前記制御部は、読取対象の電子タグから試薬情報を読み取ったか否かを判断するように構成されている、請求項１〜４のいずれか１項に記載の検体分析装置。
【請求項６】
前記第１電子タグおよび前記第２電子タグのそれぞれに記録された試薬情報は、試薬の種類を特定するための種類特定情報を含み、
前記制御部は、前記試薬情報読取部により読み取られた試薬情報に含まれる種類特定情報に基づいて、前記読取対象の電子タグから試薬情報を読み取ったか否かを判断するように構成されている、請求項５に記載の検体分析装置。
【請求項７】
前記第１試薬容器保持部は、複数の前記第１試薬容器を保持し、平面的に見て、略円環状に形成されており、
前記第２試薬容器保持部は、複数の前記第２試薬容器を保持し、平面的に見て、前記第１試薬容器保持部の内周側に略円環状に形成されており、
前記電波発信部は、前記第１試薬容器保持部の外周側に配置されており、
前記第１および第２試薬容器保持部をそれぞれ独立して移動させるための駆動部をさらに備える、請求項１に記載の検体分析装置。
【請求項８】
前記第１試薬容器保持部は、所定数の前記第１試薬容器を、等間隔を置いて保持するように構成され、
前記第２試薬容器保持部は、前記所定数の前記第２試薬容器を、等間隔を置いて保持するように構成されている、請求項７に記載の検体分析装置。
【請求項９】
前記試薬設置部は、前記第１試薬容器保持部および前記第２試薬容器保持部を収容する略円筒状の筐体と、前記筐体の上方を覆う蓋部とを含む、請求項１〜８のいずれか１項に記載の検体分析装置。
【請求項１０】
前記試薬設置部は、前記第１および第２試薬容器保持部に保持された前記第１および第２試薬容器に収容された試薬を冷却するために、ペルチェ素子およびファンをさらに含む、請求項９に記載の検体分析装置。
【発明の詳細な説明】
【技術分野】
【０００１】
本発明は、検体分析装置に関し、特に、試薬情報が記録された電子タグが付された試薬容器を搭載する検体分析装置に関する。
【背景技術】
【０００２】
従来、試薬情報が記録された電子タグが付された試薬容器を搭載する検体分析装置が知られている（たとえば特許文献１参照）。
【０００３】
上記特許文献１には、試薬情報が記録された無線ＩＣタグが付された複数の試薬容器を内周列および外周列の二列で保持する円環状の試薬容器保持部と、内周列の試薬容器保持部に保持された試薬容器の無線ＩＣタグに対して電波を発信する内周側アンテナ部と、外周列の試薬容器保持部に保持された試薬容器の無線ＩＣタグに対して電波を発信する外周側アンテナ部と、無線ＩＣタグから返ってきた電波を内周側アンテナ部および外周側アンテナ部から受け取る情報読み取り・記録部とを備えた自動分析装置が開示されている。この特許文献１に記載された自動分析装置では、内周側アンテナ部は、内周列の試薬容器保持部の内側に配置され、外周側アンテナ部は、外周列の試薬容器保持部の外側に配置されている。
【先行技術文献】
【特許文献】
【０００４】
【特許文献１】特開２００９−２１０４４４号公報
【発明の概要】
【発明が解決しようとする課題】
【０００５】
しかしながら、上記特許文献１に記載の自動分析装置では、内周列の試薬容器保持部の内側の領域と外周列の試薬容器保持部の外側の領域とをアンテナ部を配置するために確保しなければならないため、装置本体が大型化するという問題点がある。
【０００６】
この発明は、上記のような課題を解決するためになされたものであり、本発明の１つの目的は、試薬設置部内に、電子タグが付された試薬容器を保持する試薬容器保持部を複数備えた検体分析装置において、複数の試薬容器保持部に対応する位置に複数のアンテナ部を設けることによる試薬設置部の大型化を抑制することが可能な検体分析装置を提供することである。
【課題を解決するための手段および発明の効果】
【０００７】
上記目的を達成するために、この発明の一の局面による検体分析装置は、試薬容器内の試薬を用いて検体の分析を行う検体分析装置であって、試薬に関する試薬情報が記録された第１電子タグが付された第１試薬容器を保持する第１試薬容器保持部、および、試薬に関する試薬情報が記録された第２電子タグが付された第２試薬容器を保持するとともに、第１試薬容器保持部の一方側に配置される第２試薬容器保持部を内部に備えた試薬設置部と、第１電子タグに記録された試薬情報および第２電子タグに記録された試薬情報を読み取る試薬情報読取部と、制御部と、を備え、試薬情報読取部は、第１試薬容器保持部の他方側の試薬設置部内に配置され、到達範囲が互いに異なる複数の電波を発信する電波発信部を含み、制御部は、読取対象が第１試薬容器に付された第１電子タグである場合には、電波発信部から第１到達範囲の電波が発信され、読取対象が第２試薬容器に付された第２電子タグである場合には、電波発信部から第１到達範囲よりも大きい第２到達範囲の電波が発信されるように試薬情報読取部を制御する。
【０００８】
この発明の一の局面による検体分析装置では、上記のように、第１試薬容器保持部の一方側に第２試薬容器保持部を配置するとともに、第１試薬容器保持部の他方側に電波発信部を配置することによって、第１試薬容器保持部の他方側の領域のみを電波発信部を配置するために確保すればよく、第１試薬容器保持部の一方側の領域を確保する必要がないので、その分、装置本体が大型化するのを抑制することができる。また、制御部が、読取対象が第１電子タグであるか第２電子タグであるかに応じて、電波発信部から発信される電波を切り替えることによって、電波発信部から読取対象に応じた到達範囲の電波を発信することができるので、第１試薬容器保持部の他方側の領域のみに電波発信部が配置されていても、より的確に試薬情報の読み取り動作を行うことができる。
【００１０】
この場合、好ましくは、電波発信部は、到達範囲の異なる複数の電波を選択的に発信する共用アンテナ部を含み、制御部は、読取対象が第１電子タグであるか第２電子タグであるかに応じて、共用アンテナ部から発信される電波を切り替えるように試薬情報読取部を制御する。このように構成すれば、第１試薬容器の第１電子タグを読み取るための電波発信部と第２試薬容器の第２電子タグを読み取るための電波発信部とを個別に設ける必要がないので、その分、部品点数が増加するのを抑制することができる。
【００１１】
上記共用アンテナ部を備える検体分析装置において、好ましくは、第１試薬容器保持部および共用アンテナ部の少なくとも一方を移動させる駆動部をさらに備え、制御部は、読取対象が第２電子タグである場合には、共用アンテナ部に対向する位置から第１試薬容器を退避させるように駆動部を制御する。このように構成すれば、第１試薬容器に起因して第２電子タグが読み取りにくくなるのを抑制することができる。
【００１２】
上記一の局面による検体分析装置において、好ましくは、電波発信部は、第１到達範囲の電波を発信する第１アンテナ部と、第２到達範囲の電波を発信する第２アンテナ部とを含み、制御部は、読取対象が第１電子タグであるか第２電子タグであるかに応じて、電波を発信する電波発信部を第１アンテナ部または第２アンテナ部に切り替えるように試薬情報読取部を制御する。このように構成すれば、第１電子タグと第２電子タグとを並行して同時に読み取ることができるので、電波発信部が単独である場合と比べて、短時間でより多くの電子タグの試薬情報を読み取ることができる。
【００１３】
上記一の局面による検体分析装置において、好ましくは、制御部は、読取対象の電子タグから試薬情報を読み取ったか否かを判断するように構成されている。このように構成すれば、読取対象でない電子タグから読み取られた試薬情報が、読取対象の電子タグから読み取られた試薬情報として誤って用いられるのを抑制することができる。
【００１４】
この場合、好ましくは、第１電子タグおよび第２電子タグのそれぞれに記録された試薬情報は、試薬の種類を特定するための種類特定情報を含み、制御部は、試薬情報読取部により読み取られた試薬情報に含まれる種類特定情報に基づいて、読取対象の電子タグから試薬情報を読み取ったか否かを判断するように構成されている。このように構成すれば、種類特定情報を用いることによって、読取対象でない電子タグから読み取られた試薬情報が、読取対象の電子タグから読み取られた試薬情報として誤って用いられるのをより抑制することができる。
【００１６】
上記一の局面による検体分析装置において、好ましくは、第１試薬容器保持部は、複数の第１試薬容器を保持し、平面的に見て、略円環状に形成されており、第２試薬容器保持部は、複数の第２試薬容器を保持し、平面的に見て、第１試薬容器保持部の内周側に略円環状に形成されており、電波発信部は、第１試薬容器保持部の外周側に配置されており、第１および第２試薬容器保持部をそれぞれ独立して移動させるための駆動部をさらに備える。このように構成すれば、外周列の第１試薬容器保持部の周の長さは内周列の第２試薬容器保持部の周の長さよりも大きいので、複数の試薬容器を第１試薬容器保持部および第２試薬容器保持部のそれぞれに配置した場合、第２試薬容器保持部よりも第１試薬容器保持部の方が、隣接する試薬容器同士の間隔を大きくすることができる。そのため、第１試薬容器保持部の外周側に電波発信部を配置することによって、第２試薬容器の第２電子タグから試薬情報を読み取る際に、第１試薬容器の第１電子タグから誤って試薬情報を読み取ってしまうことを抑制することができる。
【００１７】
この場合、好ましくは、第１試薬容器保持部は、所定数の第１試薬容器を、等間隔を置いて保持するように構成され、第２試薬容器保持部は、所定数の第２試薬容器を、等間隔を置いて保持するように構成されている。このように構成すれば、同じ所定数の試薬容器をそれぞれに配置した場合、第２試薬容器保持部よりも第１試薬容器保持部の方が、隣接する試薬容器同士の間隔を確実に大きくすることができる。そのため、第２試薬容器の第２電子タグから試薬情報を読み取る際に、第１試薬容器の第１電子タグから誤って試薬情報を読み取ってしまうことをより抑制することができる。また、上記一の局面による検体分析装置において、好ましくは、試薬設置部は、第１試薬容器保持部および第２試薬容器保持部を収容する略円筒状の筐体と、筐体の上方を覆う蓋部とを含む。また、この場合、好ましくは、試薬設置部は、第１および第２試薬容器保持部に保持された第１および第２試薬容器に収容された試薬を冷却するために、ペルチェ素子およびファンをさらに含む。
【図面の簡単な説明】
【００１８】
【図１】本発明の第１実施形態による免疫分析装置の全体構成を示した斜視図である。
【図２】図１に示した第１実施形態による免疫分析装置の全体構成を示した平面図である。
【図３】図１に示した第１実施形態による免疫分析装置の構成を説明するためのブロック図である。
【図４】図１に示した第１実施形態による免疫分析装置の試薬設置部の内部を示した斜視図である。
【図５】図１に示した第１実施形態による免疫分析装置の試薬設置部の内部を示した平面図である。
【図６】図１に示した第１実施形態による試薬設置部のＲ２試薬容器のＩＣタグを読み込む際の状態を示した拡大平面図である。
【図７】図１に示した第１実施形態による試薬設置部のＲ１試薬容器のＩＣタグを読み込む際の状態を示した拡大平面図である。
【図８】図１に示した第１実施形態による試薬設置部の短距離アンテナ部を示した斜視図である。
【図９】図８の５００−５００線に沿った試薬設置部の短距離アンテナ部を示した断面図である。
【図１０】図１に示した第１実施形態による短距離アンテナ部のアンテナ基板を示した平面図である。
【図１１】図１に示した第１実施形態による試薬設置部の長距離アンテナ部を示した斜視図である。
【図１２】図１１の６００−６００線に沿った試薬設置部の長距離アンテナ部を示した断面図である。
【図１３】図１に示した第１実施形態による長距離アンテナ部のアンテナ基板を示した平面図である。
【図１４】図１に示した第１実施形態による試薬設置部のＲ１試薬容器の矢印Ｘ２方向側を示した側面図である。
【図１５】図１に示した第１実施形態による試薬設置部のＲ２試薬容器の矢印Ｙ２方向側を示した側面図である。
【図１６】図１に示した第１実施形態によるＩＣタグに記憶されている固有情報および試薬情報を示す概念図である。
【図１７】図１に示した第１実施形態による試薬設置部のＲ２試薬容器が領域Ｅに位置する状態を示した拡大平面図である。
【図１８】図１に示した第１実施形態による免疫分析装置の測定動作を示すフローチャートである。
【図１９】図１に示した第１実施形態による免疫分析装置の試薬情報読取処理を示すフローチャートである。
【図２０】図１に示した第１実施形態による免疫分析装置の試薬吸引・試薬情報書込処理を示すフローチャートである。
【図２１】本発明の第２実施形態による免疫分析装置の構成を説明するためのブロック図である。
【図２２】図２１に示した第２実施形態による免疫分析装置の試薬設置部の内部を示した平面図である。
【図２３】図２１に示した第２実施形態による試薬設置部のＲ２試薬容器のＩＣタグを読み込む際の状態を示した拡大平面図である。
【図２４】図２１に示した第２実施形態による試薬設置部のＲ１試薬容器のＩＣタグを読み込む際の状態を示した拡大平面図である。
【図２５】図２１に示した第２実施形態による免疫分析装置の試薬情報読取処理を示すフローチャートである。
【図２６】図２１に示した第２実施形態による免疫分析装置の試薬吸引・試薬情報書込処理を示すフローチャートである。
【発明を実施するための形態】
【００１９】
以下、本発明を具体化した実施形態を図面に基づいて説明する。
【００２０】
（第１実施形態）
まず、図１〜図１７を参照して、本発明の第１実施形態による免疫分析装置１の構成について説明する。
【００２１】
本発明の第１実施形態による免疫分析装置１は、血液などの検体を用いて感染症（Ｂ型肝炎、Ｃ型肝炎など）に関連するタンパク質、腫瘍マーカおよび甲状腺ホルモンなど種々の項目の検査を行うための装置である。
【００２２】
この免疫分析装置１は、測定対象である血液などの検体（血液試料）に含まれる抗原や抗体などを定量測定または定性測定する装置である。検体に含まれる抗原を定量測定する場合には、この免疫分析装置１は、検体に含まれる抗原に結合した捕捉抗体（Ｒ１試薬：第１試薬）に磁性粒子（Ｒ２試薬：第２試薬）を結合させた後に、結合（Ｂｏｕｎｄ）した抗原、捕捉抗体および磁性粒子を１次ＢＦ（Ｂｏｕｎｄ  Ｆｒｅｅ）分離部１１の磁石（図示せず）に引き寄せることにより、未反応（Ｆｒｅｅ）の捕捉抗体を含むＲ１試薬を除去するように構成されている。そして、免疫分析装置１は、磁性粒子が結合した抗原と標識抗体（Ｒ３試薬）とを結合させた後に、結合（Ｂｏｕｎｄ）した磁性粒子、抗原および標識抗体を２次ＢＦ分離部１２の磁石（図示せず）に引き寄せることにより、未反応（Ｆｒｅｅ）の標識抗体を含むＲ３試薬を除去する。さらに、分散液（Ｒ４試薬）、および、標識抗体との反応過程で発光する発光基質（Ｒ５試薬）を添加した後、標識抗体と発光基質との反応によって生じる発光量を測定する。このような工程を経て、標識抗体に結合する検体に含まれる抗原を定量的に測定している。
【００２３】
また、免疫分析装置１は、図１および図２に示すように、測定機構部２と、測定機構部２に隣接するように配置された検体搬送部（サンプラ）３と、測定機構部２に電気的に接続されたＰＣ（パーソナルコンピュータ）からなる制御装置４とを備えている。
【００２４】
検体搬送部３は、検体を収容した図示しない複数の試験管が載置されたラックを搬送可能に構成されている。また、検体搬送部３は、検体を収容した試験管を検体分注アーム５による検体吸引位置まで搬送するように構成されている。
【００２５】
制御装置４は、図３に示すように、ＣＰＵ４ａ、表示部４ｂ、入力部４ｃおよび記憶部４ｄを含む。ＣＰＵ４ａは、ユーザが入力部４ｃを用いて入力した測定条件などに基づいて、測定機構部２（後述するＣＰＵ２ａ）に測定を行わせるとともに、測定機構部２により得られた測定結果を分析し、その分析結果を表示部４ｂに表示する機能を有する。また、記憶部４ｄはハードディスクからなり、後述するＲ１試薬容器２２、Ｒ３試薬容器２３およびＲ２試薬容器２４の各々の試薬情報および位置情報が個別に記憶される。なお、記憶部４ｄに関しては、後に詳細に説明する。
【００２６】
また、測定機構部２は、図２に示すように、検体分注アーム５と、Ｒ１試薬分注アーム６と、Ｒ２試薬分注アーム７と、Ｒ３試薬分注アーム８と、反応部９と、キュベット供給部１０と、１次ＢＦ分離部１１と、２次ＢＦ分離部１２と、ピペットチップ供給部１３と、検出部１４と、Ｒ４／Ｒ５試薬供給部１５と、試薬設置部１６と、ＲＦＩＤ（Ｒａｄｉｏ  Ｆｒｅｑｕｅｎｃｙ  ＩＤｅｎｔｉｆｉｃａｔｉｏｎ）モジュール１７とから構成されている。
【００２７】
また、図３に示すように、測定機構部２における各機構部（各種分注アームおよび反応部９など）は、測定機構部２に設けられたＣＰＵ２ａにより制御されている。また、検体搬送部３もＣＰＵ２ａによって制御されるように構成されている。さらに、測定機構部２には、記憶部２ｂが設けられており、記憶部２ｂには、測定機構部２の各機構部の動作制御をＣＰＵ２ａに実行させるための制御プログラムが記憶されている。
【００２８】
図２に示すように、キュベット供給部１０は、図示しない複数のキュベットを収納可能に構成されており、検体分注アーム５による検体吐出位置にキュベットを１つずつ順次供給する機能を有している。
【００２９】
Ｒ１試薬分注アーム６は、試薬設置部１６に設置されたＲ１試薬を吸引し、吸引したＲ１試薬を検体吐出位置に載置されたキュベットに分注（吐出）するように構成されている。また、Ｒ１試薬分注アーム６は、図示しないキャッチャにより検体吐出位置に載置されたキュベットを反応部９に移送する機能を有している。
【００３０】
ピペットチップ供給部１３は、投入された複数のピペットチップ（図示せず）を１つずつ検体分注アーム５によるチップ装着位置まで搬送する機能を有している。そして、ピペットチップは、チップ装着位置において、検体分注アーム５のピペット先端に取り付けられる。
【００３１】
検体分注アーム５は、チップ装着位置においてピペットチップを装着した後、検体搬送部３により検体吸引位置に搬送された試験管内の検体を吸引し、Ｒ１試薬分注アーム６によりＲ１試薬が分注された検体吐出位置のキュベットに検体を分注（吐出）する機能を有している。
【００３２】
Ｒ２試薬分注アーム７は、試薬設置部１６に設置されたＲ２試薬を吸引する機能を有している。また、Ｒ２試薬分注アーム７は、Ｒ１試薬および検体を収容するキュベットに吸引したＲ２試薬を分注（吐出）するように構成されている。
【００３３】
反応部９は、平面的に見て略円形形状を有する試薬設置部１６の周囲を取り囲むように略円環状に形成されている。また、反応部９は、時計回り方向に回転可能に構成されており、キュベット保持部９ａに保持されたキュベットを各種処理（試薬の分注など）が行われる各々の処理位置まで移動させる機能を有している。
【００３４】
１次ＢＦ分離部１１は、検体、Ｒ１試薬およびＲ２試薬を収容するキュベットを図示しないキャッチャにより反応部９から１次ＢＦ分離部１１に移送した後、キュベット内の試料から未反応のＲ１試薬（不要成分）と磁性粒子とを分離（Ｂ／Ｆ分離）するように構成されている。
【００３５】
Ｒ３試薬分注アーム８は、試薬設置部１６に設置されたＲ３試薬を吸引する機能を有している。また、Ｒ３試薬分注アーム８は、１次ＢＦ分離部１１によるＢ／Ｆ分離後の試料を収容するキュベットが１次ＢＦ分離部１１から反応部９に移送されると、吸引したＲ３試薬をそのキュベットに分注（吐出）するように構成されている。
【００３６】
２次ＢＦ分離部１２は、１次ＢＦ分離部１１によるＢ／Ｆ分離後の試料およびＲ３試薬を収容するキュベットを図示しないキャッチャにより反応部９から２次ＢＦ分離部１２に移送した後、キュベット内の試料から未反応のＲ３試薬（不要成分）と磁性粒子とを分離するように構成されている。
【００３７】
Ｒ４／Ｒ５試薬供給部１５は、図示しないチューブにより、２次ＢＦ分離部１２によるＢ／Ｆ分離後の試料を収容するキュベットに、Ｒ４試薬およびＲ５試薬を順に分注するように構成されている。
【００３８】
検出部１４は、所定の処理が行なわれた検体の抗原に結合する標識抗体と発光基質との反応過程で生じる光を光電子増倍管（Ｐｈｏｔｏ  Ｍｕｌｔｉｐｌｉｅｒ  Ｔｕｂｅ）で取得することにより、その検体に含まれる抗原の量を測定するために設けられている。
【００３９】
試薬設置部１６は、図２に示すように、略円筒状の形状を有する筐体１６ａ（図４参照）と、筐体１６ａを上方から覆うように配置される蓋部１６ｂと、蓋部１６ｂに設けられ、ユーザが後述するＲ１試薬容器２２、Ｒ３試薬容器２３およびＲ２試薬容器２４を交換する際に開閉される開閉部１６ｃとを含む。また、Ｒ１試薬、Ｒ２試薬およびＲ３試薬の吸引位置に対応する蓋部１６ｂの上面には、開閉可能な窓部（図示せず）が形成されている。この窓部を介して、Ｒ１試薬分注アーム６、Ｒ２試薬分注アーム７およびＲ３試薬分注アーム８によって、それぞれ、Ｒ１試薬、Ｒ２試薬およびＲ３試薬が吸引される。
【００４０】
ここで、第１実施形態では、図４および図５に示すように、試薬設置部１６の筐体１６ａには、Ｒ１／Ｒ３設置部１８と、Ｒ２設置部１９と、短距離アンテナ部２０と、長距離アンテナ部２１とが設けられている。具体的には、図５に示すように、平面的に見て、筐体１６ａの中心Ｏと略同一の中心Ｏを有する略円環状に形成されたＲ１／Ｒ３設置部１８と、筐体１６ａの中心Ｏと略同一の中心Ｏを有する略円環状に形成されたＲ２設置部１９とが筐体１６ａの内部に配置されている。また、Ｒ１／Ｒ３設置部１８は、Ｒ２設置部１９の内周側（中心Ｏ側）に設けられている。
【００４１】
また、短距離アンテナ部２０および長距離アンテナ部２１は、試薬設置部１６の筐体１６ａに取り付けられている。具体的には、図５に示すように、筐体１６ａを構成する円環状に設けられた側壁の所定の距離（所定の回転角度間隔）を隔てた２箇所には、切り欠き部１１６ａおよび２１６ａが形成されている。この切り欠き部１１６ａおよび２１６ａは、筐体１６ａの一部が上端部から下方に切り欠かれることによって形成されている。また、筐体１６ａの切り欠き部１１６ａには、図６に示すように、短距離アンテナ部２０の樹脂製の係止部２０ａが係止されることにより固定されている。また、筐体１６ａの切り欠き部２１６ａには、図７に示すように、長距離アンテナ部２１の樹脂製の係止部２１ａが係止されることにより固定されている。また、図５に示すように、短距離アンテナ部２０と長距離アンテナ部２１とは、共にＲ２設置部１９の外周側に設けられている。
【００４２】
また、試薬設置部１６には、中心Ｏを回転中心としてＲ１／Ｒ３設置部１８を矢印Ｃ１方向および矢印Ｃ２方向に回転させるための内側回転駆動部１６ｄ（図３参照）と、中心Ｏを回転中心としてＲ２設置部１９を矢印Ｄ１方向および矢印Ｄ２方向に回転させるための外側回転駆動部１６ｅ（図３参照）とが設けられている。また、内側回転駆動部１６ｄと外側回転駆動部１６ｅとは、ＣＰＵ２ａによって個別に駆動が制御されるように構成されている。また、筐体１６ａの底部の中心Ｏには、Ｒ１試薬、Ｒ２試薬およびＲ３試薬を冷却するための図示しないペルチェ素子およびファン１６ｆが設けられている。この冷却によって、試薬設置部１６内に結露が生じる場合がある。
【００４３】
また、短距離アンテナ部２０は、図８および図９に示すように、上記した係止部２０ａに加えて、アンテナ基板２０ｂと、アンテナ基板２０ｂが内部に固定される基板取付部２０ｃと、アンテナ基板２０ｂを外側（矢印Ｘ２方向側）から覆う蓋部材２０ｄと、基板取付部２０ｃのアンテナ基板２０ｂとは反対側（矢印Ｘ１方向側）の表面に取り付けられる金属板２０ｅとを含んでいる。
【００４４】
短距離アンテナ部２０のアンテナ基板２０ｂは、図１０に示すように、板状の基板の矢印Ｘ１方向側の表面（図９参照）にコイル状のアンテナ配線１２０ｂが形成されることによって構成されている。このコイル状のアンテナ配線１２０ｂを介して電波を送受信することが可能である。
【００４５】
また、長距離アンテナ部２１は、図１１および図１２に示すように、上記した係止部２１ａに加えて、アンテナ基板２１ｂと、アンテナ基板２１ｂが内部に固定される基板取付部２１ｃと、アンテナ基板２１ｂを外側（矢印Ｙ２方向側）から覆う蓋部材２１ｄと、基板取付部２１ｃのアンテナ基板２１ｂとは反対側（矢印Ｙ１方向側）の表面に取り付けられる金属板２１ｅとを含んでいる。
【００４６】
長距離アンテナ部２１のアンテナ基板２１ｂは、図１３に示すように、板状の基板の矢印Ｙ１方向側の表面（図１２参照）にコイル状のアンテナ配線１２１ｂが形成されることによって構成されている。このコイル状のアンテナ配線１２１ｂを介して電波を送受信することが可能である。
【００４７】
また、アンテナ基板２０ｂは、図６に示すように、アンテナ基板２０ｂの矢印Ｘ１方向側の表面が筐体１６ａの中心Ｏ（図５参照）と対向するように基板取付部２０ｃの内部に配置されているとともに、アンテナ基板２１ｂは、図７に示すように、アンテナ基板２１ｂの矢印Ｙ１方向側の表面が筐体１６ａの中心Ｏ（図５参照）と対向するように基板取付部２１ｃの内部に配置されている。これにより、図６および図７に示すように、アンテナ基板２０ｂおよび２１ｂは、読取用電波および書込用電波を試薬設置部１６の内側（図５の中心Ｏ側）に向かって発信することが可能なように構成されているとともに、読取用電波に応答して後述するＩＣタグ２５および２６から発信される応答電波を受信することが可能なように構成されている。なお、アンテナ基板２０ｂおよび２１ｂは、ＲＦＩＤモジュール１７の後述するアンテナ切替基板１７ｃに接続されている。
【００４８】
また、第１実施形態では、長距離アンテナ部２１のアンテナ基板２１ｂのアンテナ配線１２１ｂ（図１３参照）のコイルの巻き数は、短距離アンテナ部２０のアンテナ基板２０ｂのアンテナ配線１２０ｂ（図１０参照）のコイルの巻き数よりも大きくなるように構成されている。さらに、後述するリーダライタ基板１７ａから後述するアンテナ切替基板１７ｃを介して短距離アンテナ部２０のアンテナ基板２０ｂに出力される電力（第１出力）は、リーダライタ基板１７ａからアンテナ切替基板１７ｃを介して長距離アンテナ部２１のアンテナ基板２１ｂに出力される電力（第２出力）よりも小さくなるように構成されている。これらにより、図６に示すように、短距離アンテナ部２０は、範囲Ａの短距離読取用電波および短距離読書込用電波を発信するように構成されている。また、図７に示すように、長距離アンテナ部２１は、範囲Ａよりも大きい範囲Ｂの長距離読取用電波および長距離読書込用電波を発信するように構成されている。この結果、短距離アンテナ部２０の読取範囲および書込範囲は、長距離アンテナ部２１の読取範囲および書込範囲よりも小さくなるように構成されている。
【００４９】
短距離アンテナ部２０の基板取付部２０ｃと蓋部材２０ｄとは、共に電波を透過可能な樹脂からなる。また、図９に示すように、基板取付部２０ｃと蓋部材２０ｄとは、アンテナ基板２０ｂを結露などから保護するために設けられており、基板取付部２０ｃと蓋部材２０ｄとによって、アンテナ基板２０ｂは外部から隔離されている。同様に、長距離アンテナ部２１の基板取付部２１ｃと蓋部材２１ｄとは、共に電波を透過可能な樹脂からなる。また、図１２に示すように、基板取付部２１ｃと蓋部材２１ｄとは、アンテナ基板２１ｂを結露などから保護するために設けられており、基板取付部２１ｃと蓋部材２１ｄとによって、アンテナ基板２１ｂは外部から隔離されている。
【００５０】
また、アンテナ基板２０ｂは、図９に示すように、ネジ２０ｆおよびナット２０ｇにより基板取付部２０ｃに固定されているとともに、アンテナ基板２１ｂは、図１２に示すように、ネジ２１ｆおよびナット２１ｇにより基板取付部２１ｃに固定されている。
【００５１】
金属板２０ｅおよび２１ｅは、共に電波（読取用電波、書込用電波および応答電波）を吸収することが可能なアルミニウムの板材からなる。また、金属板２０ｅは、図８に示すように、基板取付部２０ｃの矢印Ｘ１方向側の表面に配置されるように、ネジ２０ｈおよび図示しないナットにより基板取付部２０ｃに固定されている。同様に、金属板２１ｅは、図１１に示すように、基板取付部２１ｃの矢印Ｙ１方向側の表面に配置されるように、ネジ２１ｈおよび図示しないナットにより基板取付部２１ｃに固定されている。
【００５２】
また、図８および図１１に示すように、金属板２０ｅおよび２１ｅには、それぞれ、略Ｕ字状の切り欠き２０ｉおよび２１ｉが形成されている。この切り欠き２０ｉおよび２１ｉを介して、アンテナ基板２０ｂおよび２１ｂは試薬設置部１６の内側（矢印Ｘ１方向側および矢印Ｙ１方向側）に向かって電波を発信する一方、切り欠き２０ｉおよび２１ｉを通過しないアンテナ基板２０ｂおよび２１ｂの電波は、金属板２０ｅおよび２１ｅによって吸収されるように構成されている。すなわち、金属板２０ｅは、アンテナ基板２０ｂから発信される電波の範囲およびアンテナ基板２０ｂが受信する電波の範囲を制限することによって、短距離アンテナ部２０（アンテナ基板２０ｂ）の読取範囲および書込範囲を制限する機能を有する。同様に、金属板２１ｅは、アンテナ基板２１ｂから発信される電波の範囲およびアンテナ基板２１ｂが受信する電波の範囲を制限することによって、長距離アンテナ部２１（アンテナ基板２１ｂ）の読取範囲および書込範囲を制限する機能を有する。
【００５３】
また、Ｒ１／Ｒ３設置部１８には、図５に示すように、電波を透過可能な樹脂からなるＲ１／Ｒ３保持部材１８ａが等角度（約１４．４度）間隔で２５個配置されている。このＲ１／Ｒ３保持部材１８ａの各々には、捕捉抗体を含むＲ１試薬（第１試薬）が収容されるＲ１試薬容器２２と標識抗体を含むＲ３試薬が収容されるＲ３試薬容器２３とが保持されている。すなわち、Ｒ１／Ｒ３設置部１８には、Ｒ１試薬容器２２が等角度（約１４．４度）間隔で２５個配置されている。なお、Ｒ１／Ｒ３保持部材１８ａは、外側（Ｒ２設置部１９側）にＲ１試薬容器２２が保持され、内側（中心Ｏ側）にＲ３試薬容器２３が保持されるように構成されている。
【００５４】
また、Ｒ２設置部１９には、電波を透過可能な樹脂からなるＲ２保持部材１９ａが等角度（約１４．４度）間隔で２５個配置されている。このＲ２保持部材１９ａの各々には、磁性粒子を含むＲ２試薬（第２試薬）が収容されるＲ２試薬容器２４が保持されている。すなわち、Ｒ２設置部１９には、Ｒ２試薬容器２４が等角度（約１４．４度）間隔で２５個配置されている。また、Ｒ１試薬容器２２、Ｒ３試薬容器２３およびＲ２試薬容器２４は、ユーザにより設置および交換可能なように構成されている。
【００５５】
また、図１４に示すように、Ｒ１試薬容器２２には、Ｒ１試薬を吸引する際に開閉される蓋２２ａと、Ｒ１試薬が収容される試薬収容部２２ｂとが形成されている。また、図１５に示すように、Ｒ２試薬容器２４には、Ｒ２試薬を吸引する際に開閉される蓋２４ａと、Ｒ２試薬が収容される試薬収容部２４ｂとが形成されている。また、図６および図７に示すように、Ｒ３試薬容器２３はＲ１試薬容器２２と略同様の形状を有しており、Ｒ３試薬容器２３には、Ｒ３試薬を吸引する際に開閉される蓋２３ａと、Ｒ３試薬が収容される図示しない試薬収容部とが形成されている。なお、蓋２２ａおよび２３ａは、Ｒ１／Ｒ３設置部１８の回転に伴い開閉されるとともに、蓋２４ａは、Ｒ２設置部１９の回転に伴い開閉されるように構成されている。
【００５６】
また、図１４に示すように、Ｒ１試薬容器２２の試薬収容部２２ｂの外側（図６の矢印Ｘ２方向側）に配置される側面には、ＩＣタグ２５が取り付けられるＩＣタグ取り付け部２２ｃが形成されている。また、図１５に示すように、Ｒ２試薬容器２４の試薬収容部２４ｂの外側（図７の矢印Ｙ２方向側）に配置される側面には、ＩＣタグ２６が取り付けられるＩＣタグ取り付け部２４ｃが形成されている。すなわち、Ｒ２試薬容器２４のＩＣタグ２６は、図６に示すように、Ｒ２試薬容器２４がＲ２設置部１９に配置された際、試薬設置部１６の外側（矢印Ｘ２方向側）を向くように取り付けられているとともに、Ｒ１試薬容器２２のＩＣタグ２５は、図７に示すように、Ｒ１試薬容器２２がＲ１／Ｒ３設置部１８に配置された際、試薬設置部１６の外側（矢印Ｙ２方向側）を向くように取り付けられている。なお、Ｒ３試薬容器２３の側面には、Ｒ１試薬容器２２と異なりＩＣタグは取り付けられていない。
【００５７】
また、ＩＣタグ２５には、Ｒ１試薬容器２２のＲ１試薬の試薬情報と、Ｒ１試薬容器２２と共通のＲ１／Ｒ３保持部材１８ａに保持されているＲ３試薬容器２３のＲ３試薬の試薬情報とが記録される。また、ＩＣタグ２６には、Ｒ２試薬容器２４のＲ２試薬の試薬情報が記録される。
【００５８】
また、図１６に示すように、ＩＣタグ２５および２６には、１２８ｂｙｔｅの情報を記憶することができるよう構成されている。この記憶容量１２８ｂｙｔｅのうち、固有情報を示すユニークＩＤ領域には１６ｂｙｔｅ、試薬情報を示すユーザデータ領域には１１２ｂｙｔｅが割り当てられている。ユニークＩＤ領域は、ＩＣタグ２５および２６を個別に識別可能なユニークＩＤが記録される領域であり、読み込みのみが可能である。一方、ユーザデータ領域は、ユーザが自由に情報を書き込みできる領域である。ユーザデータ領域には、読み込みだけを行い書込みを行わない領域（読み込み専用領域）と、読み込みと書き込みの両方を行う領域（書き込み可能領域）とが設定されている。
【００５９】
また、ユニークＩＤは、ＣＰＵ２ａが試薬情報を暗号化する際に用いられる。これにより、試薬情報が別のＩＣタグに複製された場合であっても、ユニークＩＤが異なっていることにより試薬情報の暗号解読ができないので、試薬情報と試薬容器の試薬とが誤って対応付けられてしまうのを抑制することが可能である。
【００６０】
読み込み専用領域には、ＩＣタグ（ＩＣタグ２５または２６）が付された試薬容器（Ｒ１試薬容器２２またはＲ２試薬容器２４）に関する、測定項目と、ロット番号と、シリアル番号と、試薬種別（種類特定情報）と、保存期限と、充填量とが記録されており、書き込み可能領域には、残量と、使用期限とが書き込まれるように構成されている。また、ＩＣタグ２５には、Ｒ３試薬容器２３に関する情報も合わせて記録されている。また、Ｒ１／Ｒ３設置部１８に初めて設置されるＲ１試薬容器２２に貼付されたＩＣタグ２５と、Ｒ２設置部１９に初めて設置されるＲ２試薬容器２４に貼付されたＩＣタグ２６との書き込み可能領域には、情報が書き込まれていない。
【００６１】
測定項目は、このＩＣタグが貼付されている試薬容器に収容されている試薬により行われる測定項目を示す。試薬種別は、このＩＣタグが貼付されている試薬容器が、Ｒ１試薬容器２２であるか、または、Ｒ２試薬容器２４であるかを示す。保存期限は、この試薬が保存可能な期限を示す。充填量は、この試薬により行うことのできる測定回数を示す。残量は、この試薬により行うことのできる残り測定回数を示す。使用期限は、この試薬が使用可能な期限を示す。使用期限は、この試薬が使用され始めたときに設定される。
【００６２】
また、第１実施形態では、図６に示すように、Ｒ２試薬容器２４のＩＣタグ２６は、短距離アンテナ部２０の正面位置（正対する位置）において、読み取りおよび書き込みが行われるように構成されている。この際、ＩＣタグ２６は、短距離アンテナ部２０から発信された範囲Ａ（太い一点鎖線）の短距離読取用電波に基づいて、ＩＣタグ２６に記録されている試薬情報を含む応答電波を発信するように構成されている。また、ＩＣタグ２６は、短距離アンテナ部２０から発信された範囲Ａの短距離書込用電波に基づいて、記録されている試薬情報を短距離書込用電波に含まれる新たな試薬情報に書き換えるように構成されている。
【００６３】
また、図７および図１７に示すように、Ｒ１試薬容器２２のＩＣタグ２５は、長距離アンテナ部２１の正面位置において、読み取りおよび書き込みが行われるように構成されている。この際、ＩＣタグ２５は、長距離アンテナ部２１から発信された範囲Ｂ（太い二点鎖線）の長距離読取用電波に基づいて、ＩＣタグ２５に記録されている試薬情報を含む応答電波を発信するように構成されている。また、ＩＣタグ２５は、長距離アンテナ部２１から発信された範囲Ｂの長距離書込用電波に基づいて、記録されている試薬情報を長距離書込用電波に含まれる新たな試薬情報に書き換えるように構成されている。
【００６４】
また、特定のＩＣタグ２５および２６に対して読み取りおよび書き込みが行われている際には、他のＩＣタグ２５および２６に対しては、読み取りおよび書き込みが行われないように、隣り合うＲ１／Ｒ３保持部材１８ａ同士の間隔、隣り合うＲ２保持部材１９ａ同士の間隔、範囲Ａおよび範囲Ｂが設定されている。なお、試薬情報は、暗号化された状態でＩＣタグ２５および２６に記録されている。
【００６５】
また、制御装置４の記憶部４ｄには、図３に示すように、ＩＣタグ２５および２６とは別に、２５個のＲ１試薬容器２２、２５個のＲ２試薬容器２４および２５個のＲ３試薬容器２３の各々の試薬情報が個別に記憶される。また、記憶部４ｄには、２５個のＲ１試薬容器２２、２５個のＲ３試薬容器２３および２５個のＲ２試薬容器２４の各々の初期位置と、Ｒ１／Ｒ３設置部１８およびＲ２設置部１９の各々の初期位置からの回転角度とが位置情報として記憶される。これにより、記憶部４ｄには、２５個のＲ１試薬容器２２、２５個のＲ３試薬容器２３および２５個のＲ２試薬容器２４の位置情報と試薬情報とが対応付けられた状態で記憶される。なお、制御装置４の記憶部４ｄには、試薬情報が暗号解読された状態で記憶される。
【００６６】
免疫分析装置１の電源（図示せず）が投入されると、試薬設置部１６に設置されている全ての試薬容器のＩＣタグ（ＩＣタグ２５および２６）が読み取られ、各試薬容器の位置情報と試薬情報とが取得される。制御装置４のＣＰＵ４ａは、記憶部４ｄに試薬情報が記憶されている場合には、記憶部４ｄに記憶されている試薬情報を、電源投入時にＩＣタグから取得した試薬情報に更新するように構成されている。これにより、免疫分析装置１の電源が切られている間に、Ｒ１試薬容器２２、Ｒ３試薬容器２３およびＲ２試薬容器２４が、それぞれ、新たなＲ１試薬容器２２、Ｒ３試薬容器２３およびＲ２試薬容器２４に取り替えられた場合であっても、制御装置４の記憶部４ｄに記憶されている試薬情報を、現に試薬設置部１６に設置されている試薬の情報に更新することが可能である。
【００６７】
また、ＲＦＩＤモジュール１７は、図２に示すように、試薬設置部１６の外部に設けられており、図３に示すように、リーダライタ基板１７ａと、リーダライタ基板１７ａとＣＰＵ２ａとを仲介するインターフェイス基板１７ｂと、アンテナ切替基板１７ｃとを含む。
【００６８】
リーダライタ基板１７ａは、ＣＰＵ２ａからの指示に基づいて、長距離アンテナ部２１（短距離アンテナ部２０）から約１３．５６ＭＨｚの周波数帯の長距離読取用電波（短距離読取用電波）および長距離書込用電波（短距離書込用電波）を発信させるように構成されている。さらに、リーダライタ基板１７ａは、長距離読取用電波（短距離読取用電波）に応答してＩＣタグ２５および２６から発信され、短距離アンテナ部２０および長距離アンテナ部２１によって受信した応答電波から試薬情報を取得するとともに、試薬情報をＣＰＵ２ａに出力するように構成されている。
【００６９】
また、リーダライタ基板１７ａは、アンテナ基板２０ｂに対応する設定値、アンテナ基板２１ｂに対応する設定値およびアンテナ基板への送信出力の設定値を格納するための設定値記憶部１７ｄを含み、この設定値がＣＰＵ２ａにより設定されるようになっている。アンテナ切替基板１７ｃは、設定値記憶部１７ｄに格納された設定値に応じた信号をリーダライタ基板１７ａから受け取り、その受け取った信号に基づいて、短距離アンテナ部２０または長距離アンテナ部２１のいずれかを用いて読取用電波および書込用電波を送受信するように切り替える機能を有する。
【００７０】
なお、図３に示すように、第１実施形態では、ＲＦＩＤモジュール１７、短距離アンテナ部２０および長距離アンテナ部２１によって、ＩＣタグ２５および２６に記録された試薬情報を読み取るための試薬情報読取部２００が構成されている。また、短距離アンテナ部２０および長距離アンテナ部２１が、それぞれ、ＩＣタグ２６および２５に電波を発信する電波発信部２００ａとして機能している。
【００７１】
次に、図３および図１８を参照して、本発明の第１実施形態による免疫分析装置１（測定機構部２）の測定動作について説明する。
【００７２】
まず、測定機構部２のＣＰＵ２ａは、測定機構部２の電源が投入されると、ステップＳ１において、プログラムの初期化、測定機構部２の各部の動作チェック等の初期化処理を実行する。
【００７３】
この後、ステップＳ２において、試薬情報読取処理が行われる。この試薬情報読取処理については、後に詳細に説明する。
【００７４】
この後、ステップＳ３において、ＣＰＵ２ａによって、ユーザによる測定指示が行われたか否かが判断される。このユーザによる測定指示は、制御装置４（図３参照）を介して、ＣＰＵ２ａに伝達される。また、ユーザによる測定指示が行われていないと判断された場合には、ステップＳ６に進む。
【００７５】
また、ステップＳ３において、ユーザによる測定指示が行われたと判断された場合には、ステップＳ４において、ＣＰＵ２ａによって、試薬吸引・試薬情報書込処理が行われる。この試薬吸引・試薬情報書込処理については、後に詳細に説明する。
【００７６】
この後、ステップＳ５において、測定機構部２において検体の測定が行われる。そして、ステップＳ６において、ＣＰＵ２ａによって、ユーザによるシャットダウンの指示が行われたか否かが判断される。シャットダウンの指示がないと判断された場合には、ステップＳ３に戻る。また、シャットダウンの指示が行われたと判断された場合には、ステップＳ７において、ＣＰＵ２ａによって、測定機構部２のシャットダウンが行われる。このようにして、測定機構部２のＣＰＵ２ａの測定動作は終了される。
【００７７】
次に、図６、図７、図１７および図１９を参照して、図１８のステップＳ２に示した本発明の第１実施形態による免疫分析装置１の試薬情報読取処理について詳細に説明する。
【００７８】
まず、ステップＳ２０１において、ＣＰＵ２ａによって、読取対象のＩＣタグがＲ１試薬容器２２のＩＣタグ２５か否かが判断される。読取対象のＩＣタグがＲ１試薬容器２２のＩＣタグ２５である場合には、ステップＳ２０２に進む。読取対象のＩＣタグがＲ２試薬容器２４のＩＣタグ２６であると判断された場合には、ステップＳ２０６に進む。
【００７９】
そして、ステップＳ２０２において、ＣＰＵ２ａによって、読取用電波を発信するアンテナ部が長距離アンテナ部２１に設定される。すなわち、ＣＰＵ２ａにより、長距離アンテナ部２１のアンテナ基板２１ｂに対応する設定値およびアンテナ基板２１ｂに対応した送信出力の設定値が、リーダライタ基板１７ａの設定値記憶部１７ｄに設定される。
【００８０】
続いて、ステップＳ２０３において、ＣＰＵ２ａによって、読取対象のＩＣタグ２５が長距離アンテナ部２１と正対する位置に位置するように、Ｒ１／Ｒ３設置部１８が矢印Ｃ１方向または矢印Ｃ２方向（図１７参照）に回転される。
【００８１】
そして、ステップＳ２０４において、ＣＰＵ２ａによって、Ｒ２試薬容器２４が長距離アンテナ部２１と正対する位置近傍の領域Ｅ（図１７参照）に位置するか否かが判断される。この際、Ｒ２試薬容器２４の位置情報に基づいてＲ２試薬容器２４が領域Ｅに位置するか否かが判断される。Ｒ２試薬容器２４が領域Ｅに位置する場合には、Ｒ２試薬容器２４に収容されるＲ２試薬に電波が吸収されることに起因して、長距離アンテナ部２１が範囲Ｂ（図１７参照）の長距離読取用電波および長距離書込用電波を発信しても、ＩＣタグ２５の読み取りおよび書き込みを行うことができない恐れがある。そのため、Ｒ２試薬容器２４が領域Ｅに位置すると判断された場合には、ステップＳ２０５において、ＣＰＵ２ａによって、領域Ｅに位置するＲ２試薬容器２４が領域Ｅから退避するように、Ｒ２設置部１９が矢印Ｄ１方向または矢印Ｄ２方向（図１７参照）に回転される。これにより、図７に示すように、隣接するＲ２試薬容器２４同士の間の間隙Ｆと読取対象のＩＣタグ２５とが、長距離アンテナ部２１と正対する位置に配置されるとともに、Ｒ２試薬容器２４のＩＣタグ２６が長距離アンテナ部２１と対向しない位置に配置される。そして、ステップＳ２０８に進む。また、ステップＳ２０４において、Ｒ２試薬容器２４のいずれも領域Ｅに位置しないと判断された場合にも、ステップＳ２０８に進む。
【００８２】
一方、ステップＳ２０１において、読取対象のＩＣタグがＲ２試薬容器２４のＩＣタグ２６であると判断された場合には、ステップＳ２０６において、ＣＰＵ２ａによって、読取用電波を発信するアンテナ部が短距離アンテナ部２０に設定される。すなわち、ＣＰＵ２ａにより、短距離アンテナ部２０のアンテナ基板２０ｂに対応する設定値およびアンテナ基板２０ｂに対応した送信出力の設定値が、リーダライタ基板１７ａの設定値記憶部１７ｄに設定される。
【００８３】
続いて、ステップＳ２０７において、ＣＰＵ２ａによって、読取対象のＩＣタグ２６が短距離アンテナ部２０と正対する位置に位置するように、Ｒ２設置部１９が矢印Ｄ１方向または矢印Ｄ２方向（図６参照）に回転される。そして、ステップＳ２０８に進む。
【００８４】
そして、ステップＳ２０８において、ＣＰＵ２ａ、リーダライタ基板１７ａおよびアンテナ切替基板１７ｃの制御によって、長距離アンテナ部２１（短距離アンテナ部２０）から範囲Ｂの長距離読取用電波（範囲Ａの短距離読取用電波）が読取対象のＲ１試薬容器２２のＩＣタグ２５（Ｒ２試薬容器２４のＩＣタグ２６）に対して発信される。
【００８５】
この後、ステップＳ２０９において、ＣＰＵ２ａによって、長距離読取用電波または短距離読取用電波に対応してＩＣタグ２５または２６から発せられた応答電波を、長距離アンテナ部２１（短距離アンテナ部２０）が所定の時間内に受信したか否かが判断される。すなわち、ＣＰＵ２ａによって、長距離アンテナ部２１（短距離アンテナ部２０）から受信した応答電波に基づいてＲＦＩＤモジュール１７のリーダライタ基板１７ａが取得した試薬情報が、所定時間内にＣＰＵ２ａに出力されたか否かが判断される。長距離アンテナ部２１（短距離アンテナ部２０）が応答電波を所定の時間内に受信しなかったと判断された場合には、ステップＳ２１０において、ＣＰＵ２ａによって、制御装置４に読取エラー情報が送信される。そして、制御装置４の表示部４ｂに所定の位置に位置する試薬容器の試薬情報（読取対象とした試薬容器の試薬情報）の読み取りに失敗した旨が表示される。そして、ステップＳ２１３に進む。
【００８６】
また、ステップＳ２０９において、長距離アンテナ部２１（短距離アンテナ部２０）が応答電波を所定の時間内に受信したと判断された場合には、ステップＳ２１１において、ＣＰＵ２ａによって、長距離アンテナ部２１（短距離アンテナ部２０）が受信した応答電波に含まれる試薬情報が読取対象の試薬情報であるか否かが判断される。この際、ＣＰＵ２ａは、応答電波から得られた試薬種別（種類特定情報）に基づいて、読取対象の試薬情報であるか否かを判断する。応答電波に含まれる試薬情報が読取対象の試薬情報でないと判断された場合には、上記したステップＳ２１０に進む。
【００８７】
また、応答電波に含まれる試薬情報が読取対象の試薬情報であると判断された場合には、ステップＳ２１２において、応答電波に含まれる読取対象の試薬情報がＣＰＵ２ａから制御装置４に送信される。なお、複数の応答電波を長距離アンテナ部２１（短距離アンテナ部２０）が受信するとともに、複数の応答電波の中に読取対象の試薬情報がある場合には、読取対象の試薬情報のみが制御装置４に送信される。そして、制御装置４においては、ＣＰＵ２ａから受信した試薬情報に基づいて記憶部４ｄの試薬情報が更新される。そして、ステップＳ２１３に進む。
【００８８】
最後に、ステップＳ２１３において、ＣＰＵ２ａによって、２５個のＩＣタグ２５および２５個のＩＣタグ２６の全ての読み取りが完了したか否かが判断される。まだ読み取りが完了していないと判断された場合には、ステップＳ２０１に戻り、新たなＩＣタグの読み取りが行われる。全ての読み取りが完了したと判断された場合には、試薬情報読取処理が終了されて、図１８に示すステップＳ３に進む。
【００８９】
次に、図１７および図２０を参照して、図１８のステップＳ４に示した本発明の第１実施形態による免疫分析装置１の試薬吸引・試薬情報書込処理について詳細に説明する。
【００９０】
まず、ステップＳ４０１において、ＣＰＵ２ａによって、試薬を吸引する対象（吸引対象）の試薬容器がＲ１試薬容器２２またはＲ３試薬容器２３であるか否かが判断される。なお、吸引対象の試薬容器は、ユーザによって入力部４ｃに入力された測定条件などに基づいて、ＣＰＵ４ａを介してＣＰＵ２ａに伝えられる。
【００９１】
また、吸引対象の試薬容器がＲ１試薬容器２２またはＲ３試薬容器２３であると判断された場合には、ステップＳ４０２において、ＣＰＵ２ａによって、読取用電波および書込用電波を発信するアンテナ部が長距離アンテナ部２１に設定される。続いて、ステップＳ４０３において、ＣＰＵ２ａによって、Ｒ１試薬分注アーム６（Ｒ３試薬分注アーム８）によりＲ１試薬（Ｒ３試薬）が吸引される吸引位置に吸引対象のＲ１試薬容器２２（Ｒ３試薬容器２３）が位置するように、Ｒ１／Ｒ３設置部１８が矢印Ｃ１方向または矢印Ｃ２方向（図１７参照）に回転される。この際、Ｒ１試薬容器２２の蓋２２ａ（Ｒ３試薬容器２３の蓋２３ａ）は、Ｒ１／Ｒ３設置部１８の回転に伴い開かれる。
【００９２】
そして、ステップＳ４０４において、Ｒ１試薬分注アーム６（Ｒ３試薬分注アーム８）によってＲ１試薬（Ｒ３試薬）が吸引される。その後、ステップＳ４０５において、ＣＰＵ２ａによって、書込対象のＲ１試薬容器２２のＩＣタグ２５が長距離アンテナ部２１と正対する位置に位置するように、Ｒ１／Ｒ３設置部１８が矢印Ｃ１方向または矢印Ｃ２方向に回転される。この際、Ｒ１試薬容器２２の蓋２２ａ（Ｒ３試薬容器２３の蓋２３ａ）は、Ｒ１／Ｒ３設置部１８の回転に伴い閉じられる。
【００９３】
そして、ステップＳ４０６において、ＣＰＵ２ａによって、Ｒ２試薬容器２４が領域Ｅ（図１７参照）に位置するか否かが判断される。Ｒ２試薬容器２４が領域Ｅに位置すると判断された場合には、ステップＳ４０７において、ＣＰＵ２ａによって、領域Ｅに位置するＲ２試薬容器２４を領域Ｅから退避させるように、Ｒ２設置部１９が矢印Ｄ１方向または矢印Ｄ２方向（図１７参照）に回転される。そして、ステップＳ４１２に進む。
【００９４】
一方、ステップＳ４０１において、ＣＰＵ２ａによって、吸引対象の試薬容器がＲ２試薬容器２４であると判断された場合には、ステップＳ４０８において、読取用電波および書込用電波を発信するアンテナ部が短距離アンテナ部２０に設定される。続いて、ステップＳ４０９において、ＣＰＵ２ａによって、Ｒ２試薬分注アーム７によりＲ２試薬が吸引される吸引位置に吸引対象のＲ２試薬容器２４が位置するように、Ｒ２設置部１９が矢印Ｄ１方向または矢印Ｄ２方向に回転される。この際、Ｒ２試薬容器２４の蓋２４ａは、Ｒ２設置部１９の回転に伴い開かれる。
【００９５】
そして、ステップＳ４１０において、Ｒ２試薬分注アーム７によってＲ２試薬が吸引される。その後、ステップＳ４１１において、ＣＰＵ２ａによって、書込対象のＲ２試薬容器２４のＩＣタグ２６が短距離アンテナ部２０と正対する位置に位置するように、Ｒ２設置部１９が矢印Ｄ１方向または矢印Ｄ２方向に回転される。この際、Ｒ２試薬容器２４の蓋２４ａは、Ｒ２設置部１９の回転に伴い閉じられる。そして、ステップＳ４１２に進む。
【００９６】
そして、ステップＳ４１２において、ＣＰＵ２ａによって、長距離アンテナ部２１（短距離アンテナ部２０）から範囲Ｂの長距離読取用電波（範囲Ａの短距離読取用電波）が書込対象のＲ１試薬容器２２のＩＣタグ２５（Ｒ２試薬容器２４のＩＣタグ２６）に対して発信される。その後、ステップＳ４１３において、ＣＰＵ２ａによって、長距離アンテナ部２１（短距離アンテナ部２０）が応答電波を所定の時間内に受信したか否かが判断される。長距離アンテナ部２１（短距離アンテナ部２０）が応答電波を所定の時間内に受信しなかったと判断された場合には、ステップＳ４１４において、ＣＰＵ２ａによって、制御装置４に読取エラー情報が送信され、制御装置４の表示部４ｂに書込対象のＩＣタグに試薬情報の書き込みができなかった旨が表示される。そして、試薬吸引・試薬情報書込処理が終了し、図１８に示すステップＳ５に進む。
【００９７】
また、ステップＳ４１３において、長距離アンテナ部２１（短距離アンテナ部２０）が応答電波を所定の時間内に受信したと判断された場合には、ステップＳ４１５において、ＣＰＵ２ａによって、長距離アンテナ部２１（短距離アンテナ部２０）が受信した応答電波に含まれる試薬情報が書込対象のＩＣタグに記録された試薬情報であるか否かが判断される。この際、ＣＰＵ２ａは、応答電波から得られた試薬種別（種類特定情報）に基づいて、書込対象のＩＣタグに記録された試薬情報であるか否かを判断する。応答電波に含まれる試薬情報が書込対象のＩＣタグに記録された試薬情報でないと判断された場合には、上記したステップＳ４１４に進む。
【００９８】
また、応答電波に含まれる試薬情報が書込対象のＩＣタグに記録された試薬情報であると判断された場合には、ステップＳ４１６において、試薬の残量情報などが含まれる長距離書込用電波（短距離書込用電波）が、長距離アンテナ部２１（短距離アンテナ部２０）から書込対象のＲ１試薬容器２２のＩＣタグ２５（Ｒ２試薬容器２４のＩＣタグ２６）に対して送信される。そして、ステップＳ４１７において、ＩＣタグに書き込まれた試薬情報と同じ情報がＣＰＵ２ａにより制御装置４に送信された後、試薬吸引・試薬情報書込処理が終了されて、図１８に示すステップＳ５に進む。なお、制御装置４においては、ＣＰＵ２aから送信された試薬情報に基づいて、記憶部４ｄの試薬情報が更新される。
【００９９】
第１実施形態では、上記のように、平面的に見て、略円環状のＲ１／Ｒ３設置部１８を略円環状のＲ２設置部１９の内周側に設けるとともに、短距離アンテナ部２０および長距離アンテナ部２１を共にＲ２設置部１９の外周側に設けている。これによって、Ｒ２設置部１９の外周側の領域のみを短距離アンテナ部２０および長距離アンテナ部２１を配置するために確保すればよく、Ｒ１／Ｒ３設置部１８の内周側の領域を確保する必要がないので、Ｒ１／Ｒ３設置部１８の内周側の領域を小さくすることができる。この結果、その分、免疫分析装置１本体が大型化するのを抑制することができる。また、短距離アンテナ部２０および長距離アンテナ部２１を共にＲ２設置部１９の外周側に設けることによって、ＩＣタグ２５から試薬情報を読み取る際に、ＩＣタグ２６から誤って試薬情報を読み取ってしまうことを抑制することができる。
【０１００】
また、第１実施形態では、上記のように、Ｒ２設置部１９に設置されたＲ２試薬容器２４のＩＣタグ２６に記録された試薬情報を読み取る際に発信される電波の到達範囲（範囲Ａ）を、Ｒ１／Ｒ３設置部１８に設置されたＲ１試薬容器２２のＩＣタグ２５に記録された試薬情報を読み取る際に発信される電波の到達範囲（範囲Ｂ）よりも小さくしている。これによって、ＩＣタグ２６に記録された試薬情報を読み取る際に、読取対象のＩＣタグ２６に隣接する周囲の複数のＩＣタグ２６およびＩＣタグ２５に記録された試薬情報を誤って読み取ってしまうことを抑制することができる。
【０１０１】
また、第１実施形態では、上記のように、短距離アンテナ部２０と長距離アンテナ部２１とをそれぞれ設けることにより、ＩＣタグ２５および２６を並行して同時に読み取ることができるので、１つのアンテナ部のみによってＩＣタグを読み取る場合と比べて、短時間でより多くのＩＣタグ２５および２６の試薬情報を読み取ることができる。
【０１０２】
また、第１実施形態では、上記のように、ＣＰＵ２ａが、応答電波に含まれる試薬種別（種類特定情報）に基づいて、短距離アンテナ部２０および長距離アンテナ部２１が受信した応答電波に含まれる試薬情報が読取対象の試薬情報であるか否かを判断するように構成されている。これによって、読取対象でないＩＣタグ２５または２６からの応答電波が読取対象の応答電波として誤って用いられるのをより抑制することができる。
【０１０３】
また、第１実施形態では、上記のように、Ｒ１試薬容器２２がＲ１試薬を収容し、Ｒ２試薬容器２４がＲ２種類の試薬を収容する。これによって、Ｒ１／Ｒ３設置部１８に保持されるＲ１試薬容器２２の各々に、１種類（Ｒ１種類）の試薬のみが収容されるとともに、Ｒ２設置部１９に保持されるＲ２試薬容器２４の各々に、１種類（Ｒ２種類）の試薬のみが収容されるように構成することができる。これにより、ＣＰＵ２ａは、ＩＣタグ２５または２６のどちらの試薬情報を読み取ったかを容易に判断することができる。
【０１０４】
また、第１実施形態では、上記のように、略円環状のＲ１／Ｒ３設置部１８にＲ１試薬容器２２を等角度（約１４．４度）間隔で２５個配置するとともに、Ｒ１／Ｒ３設置部１８の外周側に配置された略円環状のＲ２設置部１９にＲ２試薬容器２４を等角度（約１４．４度）間隔で２５個配置する。これにより、Ｒ１／Ｒ３設置部１８よりもＲ２設置部１９の方が、隣接する試薬容器同士の間隔を確実に大きくすることができる。そのため、ＩＣタグ２５から試薬情報を読み取る際に、ＩＣタグ２６から誤って試薬情報を読み取ってしまうことをより抑制することができる。
【０１０５】
また、第１実施形態では、上記のように、長距離アンテナ部２１が範囲Ｂの長距離読取用電波を発信する際に、領域Ｅに位置するＲ２試薬容器２４を領域Ｅから退避させている。これによって、Ｒ２試薬容器２４が領域Ｅに位置することに起因してＲ１試薬容器２２のＩＣタグ２５が読み取りにくくなるのを抑制することができる。
【０１０６】
また、第１実施形態では、上記のように、長距離アンテナ部２１からの電波の到達範囲を制限する金属板２１ｅを設けることによって、長距離アンテナ部２１からの電波の到達範囲を読取対象のＲ１試薬容器２２のＩＣタグ２５のみが位置する範囲に制限することができる。そのため、読取対象でないＩＣタグ２５および２６を長距離アンテナ部２１が誤って読み取ってしまうのを抑制することができる。
【０１０７】
また、第１実施形態では、上記のように、短距離アンテナ部２０からの電波の到達範囲を制限する金属板２０ｅを設けることによって、短距離アンテナ部２０からの電波の到達範囲を読取対象のＲ２試薬容器２４のＩＣタグ２６のみが位置する範囲に制限することができる。そのため、読取対象でないＩＣタグ２５および２６を短距離アンテナ部２０が誤って読み取ってしまうのを抑制することができる。
【０１０８】
（第２実施形態）
次に、図２１〜図２６を参照して、第２実施形態について説明する。この第２実施形態による免疫分析装置３０１では、測定機構部２の試薬設置部１６に短距離アンテナ部２０および長距離アンテナ部２１の２つのアンテナ部を設けた第１実施形態とは異なり、測定機構部３０２の試薬設置部３１６に１つのアンテナ部３２１を設けた例について説明する。
【０１０９】
まず、図２１〜図２４を参照して、本発明の第２実施形態による免疫分析装置３０１の構成について説明する。
【０１１０】
第２実施形態では、図２１に示すように、試薬設置部３１６には、１つのアンテナ部３２１が設けられている。このアンテナ部３２１は、図２２に示すように、試薬設置部３１６の筐体３１６ａの切り欠き部２１６ａに係止部２１ａが係止することによって筐体３１６ａに取り付けられている。なお、第２実施形態の筐体３１６ａには、第１実施形態の切り欠き部１１６ａは設けられていない。
【０１１１】
また、アンテナ部３２１は、図２１に示すように、アンテナ基板３２１ｂを含んでいる。このアンテナ基板３２１ｂは、図２３および図２４に示すように、読取用電波および書込用電波を試薬設置部３１６の内側（図２２の中心Ｏ側（矢印Ｙ１方向側））に向かって発信することが可能なように構成されているとともに、読取用電波に応答してＩＣタグ２５および２６から発信される応答電波を受信することが可能なように構成されている。なお、アンテナ部３２１のその他の構成は、第１実施形態の長距離アンテナ部２１の構成と同様である。
【０１１２】
ここで、第２実施形態では、図２１に示すように、ＲＦＩＤモジュール３１７は、リーダライタ基板３１７ａを含んでいる。リーダライタ基板３１７ａは、アンテナ基板３２１ｂへの送信出力の設定値を格納するための設定値記憶部３１７ｄを含み、この設定値がＣＰＵ２ａにより設定されるようになっている。ＣＰＵ２ａが設定値記憶部３１７ｄの設定値を変更することにより、リーダライタ基板３１７ａからアンテナ基板３２１ｂへの送信出力が切り替えられ、読取範囲の小さい範囲Ｇ（図２３の一点鎖線）の短距離読取用電波と、読取範囲の大きい範囲Ｈ（図２４の二点鎖線）の長距離読取用電波との２種類の読取用電波をアンテナ部３２１から発信することが可能なように構成されている。また、同様に、ＣＰＵ２ａが設定値記憶部３１７ｄの設定値を変更することにより、書込範囲の小さい範囲Ｇの短距離書込用電波と、書込範囲の大きい範囲Ｈの長距離書込用電波との２種類の書込用電波をアンテナ部３２１に発信させることが可能である。そのため、ＣＰＵ２ａおよびリーダライタ基板３１７ａによって、アンテナ部３２１から発信される読取用電波の読取範囲および書込用電波の書込範囲を、図２３の範囲Ｇ（太い一点鎖線）と、範囲Ｇよりも範囲が大きい図２４の範囲Ｈ（太い二点鎖線）とに切り替えることが可能である。
【０１１３】
なお、第２実施形態においては、１つのアンテナ部３２１しか設けられていないので、アンテナ部を切り替えるための第１実施形態のアンテナ切替基板１７ｃは不要である。また、図２１に示すように、アンテナ部３２１のアンテナ基板３２１ｂは、直接リーダライタ基板３１７ａに接続されている。
【０１１４】
なお、図２１に示すように、第２実施形態では、ＲＦＩＤモジュール３１７およびアンテナ部３２１によって、ＩＣタグ（ＩＣタグ２５および２６）に記録された試薬情報を読み取るための試薬情報読取部４００が構成されている。また、アンテナ部３２１が、ＩＣタグに電波を発信する電波発信部４００ａとして機能している。
【０１１５】
なお、第２実施形態のその他の構成は、第１実施形態と同様である。
【０１１６】
次に、第２実施形態による免疫分析装置３０１の測定動作について説明する。なお、試薬情報読取処理および試薬吸引・試薬情報書込処理以外の処理については、図１８に示す第１実施形態と同様である。
【０１１７】
図２３〜図２５を参照して、本発明の第２実施形態による免疫分析装置３０１の試薬情報読取処理について詳細に説明する。
【０１１８】
まず、ステップＳ２２１において、ＣＰＵ２ａによって、読取対象のＩＣタグがＲ１試薬容器２２のＩＣタグ２５か否かが判断される。
【０１１９】
読取対象のＩＣタグがＲ１試薬容器２２のＩＣタグ２５であると判断された場合には、ステップＳ２２２において、ＣＰＵ２ａによって、アンテナ部３２１が範囲Ｈ（図２４参照）の長距離読取用電波を発信するように、リーダライタ基板３１７ａからアンテナ基板３２１ｂへの送信出力が設定される。すなわち、アンテナ部３２１の読取範囲が大きくなるようにリーダライタ基板３１７ａの設定値記憶部３１７ｄの設定値がＣＰＵ２ａにより設定される。この後、ステップＳ２２３において、ＣＰＵ２ａによって、読取対象のＩＣタグ２５がアンテナ部３２１と正対する位置に位置するように、Ｒ１／Ｒ３設置部１８が矢印Ｃ１方向または矢印Ｃ２方向（図２４参照）に回転される。
【０１２０】
そして、ステップＳ２２４において、ＣＰＵ２ａによって、Ｒ２試薬容器２４が領域Ｅ（図２３参照）に位置するか否かが判断される。Ｒ２試薬容器２４が領域Ｅに位置すると判断された場合には、ステップＳ２２５において、ＣＰＵ２ａによって、領域Ｅに位置するＲ２試薬容器２４が領域Ｅから退避するように、Ｒ２設置部１９が矢印Ｄ１方向または矢印Ｄ２方向（図２３参照）に回転される。そして、ステップＳ２２８に進む。また、ステップＳ２２４において、Ｒ２試薬容器２４のいずれも領域Ｅに位置しないと判断された場合にも、ステップＳ２２８に進む。
【０１２１】
一方、ステップＳ２２１において、読取対象のＩＣタグがＲ２試薬容器２４のＩＣタグ２６であると判断された場合には、ステップＳ２２６において、ＣＰＵ２ａによって、アンテナ部３２１が範囲Ｇ（図２３参照）の短距離読取用電波を発信するように、リーダライタ基板３１７ａからアンテナ基板３２１ｂへの送信出力が設定される。すなわち、アンテナ部３２１の読取範囲が小さくなるように、リーダライタ基板３１７ａの設定値記憶部３１７ｄの設定値がＣＰＵ２ａにより設定される。この後、ステップＳ２２７において、ＣＰＵ２ａによって、読取対象のＩＣタグ２６がアンテナ部３２１と正対する位置に位置するように、Ｒ２設置部１９が矢印Ｄ１方向または矢印Ｄ２方向に回転される。そして、ステップＳ２２８に進む。
【０１２２】
そして、ステップＳ２２８において、ＣＰＵ２ａによって、アンテナ部３２１から範囲Ｈの長距離読取用電波（範囲Ｇの短距離読取用電波）が読取対象のＲ１試薬容器２２のＩＣタグ２５（Ｒ２試薬容器２４のＩＣタグ２６）に対して発信される。この後、図１９に示す第１実施形態のステップＳ２０９〜Ｓ２１３と同様の処理が実行され、図１８に示すステップＳ３に進む。
【０１２３】
次に、図２３、図２４および図２６を参照して、本発明の第２実施形態による免疫分析装置３０１の試薬吸引・試薬情報書込処理について詳細に説明する。
【０１２４】
まず、第１実施形態と同様に、ステップＳ４２１において、ＣＰＵ２ａによって、試薬を吸引する対象（吸引対象）の試薬容器がＲ１試薬容器２２またはＲ３試薬容器２３であるか否かが判断される。
【０１２５】
吸引対象の試薬容器がＲ１試薬容器２２またはＲ３試薬容器２３であると判断された場合には、ステップＳ４２２において、ＣＰＵ２ａによって、アンテナ部３２１が範囲Ｈ（図２４参照）の長距離読取用電波および長距離書込用電波を発信するように設定される。すなわち、アンテナ部３２１の読取範囲および書込範囲が大きくなるように設定される。続いて、ステップＳ４２３において、ＣＰＵ２ａによって、吸引位置に吸引対象のＲ１試薬容器２２（Ｒ３試薬容器２３）が位置するように、Ｒ１／Ｒ３設置部１８が矢印Ｃ１方向または矢印Ｃ２方向（図２４参照）に回転される。この際、Ｒ１試薬容器２２の蓋２２ａ（Ｒ３試薬容器２３の蓋２３ａ）は、Ｒ１／Ｒ３設置部１８の回転に伴い開かれる。
【０１２６】
そして、ステップＳ４２４において、Ｒ１試薬（Ｒ３試薬）が吸引される。その後、ステップＳ４２５において、ＣＰＵ２ａによって、書込対象のＲ１試薬容器２２のＩＣタグ２５がアンテナ部３２１と正対する位置に位置するように、Ｒ１／Ｒ３設置部１８が矢印Ｃ１方向または矢印Ｃ２方向（図２４参照）に回転される。この際、Ｒ１試薬容器２２の蓋２２ａ（Ｒ３試薬容器２３の蓋２３ａ）は、Ｒ１／Ｒ３設置部１８の回転に伴い閉じられる。
【０１２７】
そして、ステップＳ４２６において、ＣＰＵ２ａによって、Ｒ２試薬容器２４が領域Ｅ（図２３参照）に位置するか否かが判断される。Ｒ２試薬容器２４が領域Ｅに位置すると判断された場合には、ステップＳ４２７において、ＣＰＵ２ａによって、領域Ｅに位置するＲ２試薬容器２４が領域Ｅから退避するように、Ｒ２設置部１９が矢印Ｄ１方向または矢印Ｄ２方向（図２４参照）に回転される。そして、ステップＳ４３２に進む。
【０１２８】
一方、ステップＳ４２１において、ＣＰＵ２ａによって、吸引対象の試薬容器がＲ２試薬容器２４であると判断された場合には、ステップＳ４２８において、ＣＰＵ２ａによって、アンテナ部３２１が範囲Ｇ（図２３参照）の短距離読取用電波および短距離書込用電波を発信するように設定される。すなわち、アンテナ部３２１の読取範囲および書込範囲が小さくなるように設定される。続いて、ステップＳ４２９において、ＣＰＵ２ａによって、吸引位置に吸引対象のＲ２試薬容器２４が位置するように、Ｒ２設置部１９が矢印Ｄ１方向または矢印Ｄ２方向に回転される。この際、Ｒ２試薬容器２４の蓋２４ａは、Ｒ２設置部１９の回転に伴い開かれる。
【０１２９】
そして、ステップＳ４３０において、Ｒ２試薬が吸引される。その後、ステップＳ４３１において、ＣＰＵ２ａによって、書込対象のＲ２試薬容器２４のＩＣタグ２６がアンテナ部３２１と正対する位置に位置するように、Ｒ２設置部１９が矢印Ｄ１方向または矢印Ｄ２方向に回転される。この際、Ｒ２試薬容器２４の蓋２４ａは、Ｒ２設置部１９の回転に伴い閉じられる。そして、ステップＳ４３２に進む。
【０１３０】
そして、ステップＳ４３２において、ＣＰＵ２ａによって、アンテナ部３２１から範囲Ｈの長距離読取用電波（範囲Ｇの短距離読取用電波）が書込対象のＲ１試薬容器２２のＩＣタグ２５（Ｒ２試薬容器２４のＩＣタグ２６）に対して発信される。その後、図２０に示す第１実施形態のステップＳ４１３〜Ｓ４１７と同様の処理が実行され、図１８に示すステップＳ５に進む。
【０１３１】
第２実施形態では、上記のように、リーダライタ基板３１７ａからアンテナ基板３２１ｂへの送信出力を切り替えることにより、１つのアンテナ部３２１から発信される読取用電波の読取範囲および書込用電波の書込範囲を、範囲Ｇと、範囲Ｇよりも大きい範囲Ｈとに切り替えることが可能なように構成している。これによって、Ｒ１試薬容器２２のＩＣタグ２５を読み取るためのアンテナ部と、Ｒ２試薬容器２４のＩＣタグ２６を読み取るためのアンテナ部とを個別に設ける必要がないので、その分、部品点数が増加するのを抑制することができる。
【０１３２】
なお、第２実施形態のその他の効果は、第１実施形態と同様である。
【０１３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１３４】
たとえば、上記第１および第２実施形態では、本発明の検体分析装置を免疫分析装置１（３０１）に適用した例を示したが、本発明はこれに限られない。電子タグの試薬情報を読み取るために用いられる試薬情報読取部を備える装置であれば本発明は適用可能であり、免疫分析装置以外にも、血液凝固分析装置、尿試料測定装置、遺伝子増幅検出装置などにも適用可能である。
【０１３５】
また、上記第１実施形態では、短距離アンテナ部２０および長距離アンテナ部２１の２つのアンテナ部を共にＲ２設置部１９の外周側に設け、上記第２実施形態では、１つのアンテナ部３２１をＲ２設置部１９の外周側に設けた例を示したが、本発明はこれに限られない。本発明では、アンテナ部（電波発信部）をＲ２設置部の外周側に３つ以上設けてもよい。
【０１３６】
また、上記第１および第２実施形態では、短距離アンテナ部２０および長距離アンテナ部２１（アンテナ部３２１）を、共にＲ２設置部１９の外周側に設けた例を示したが、本発明はこれに限られない。本発明では、アンテナ部（電波発信部）をＲ１設置部の内周側に設けてもよい。この場合、Ｒ２設置部の外周側の領域を電波発信部のために確保する必要がないので、装置本体が大型化するのを抑制することが可能である。
【０１３７】
また、上記第１および第２実施形態では、Ｒ１／Ｒ３設置部１８とＲ２設置部１９とが略円環状に設けられた例を示したが、本発明はこれに限られない。たとえば、Ｒ１／Ｒ３設置部とＲ２設置部とを、各々が並列に並んだ状態で所定の方向に直線状に延びるように設けてもよい。
【０１３８】
また、上記第１および第２実施形態では、短距離アンテナ部２０および長距離アンテナ部２１（アンテナ部３２１）が、読取用電波および書込用電波を発信することが可能なように構成した例を示したが、本発明はこれに限られない。本発明では、アンテナ部（電波発信部）が読取用電波のみを発信可能なように構成してもよい。
【０１３９】
また、上記第１および第２実施形態では、ＩＣタグ２５が付されたＲ１試薬容器２２と、ＩＣタグ２６が付されたＲ２試薬容器２４と、ＩＣタグが付されていないＲ３試薬容器２３とを設けた例を示したが、本発明はこれに限られない。本発明では、ＩＣタグが付されていない試薬容器を含まずに、ＩＣタグが付された試薬容器のみからなるように構成してもよい。
【０１４０】
また、上記第１および第２実施形態では、Ｒ１試薬容器２２のＲ１試薬の試薬情報と、Ｒ１試薬容器２２と共通のＲ１／Ｒ３保持部材１８ａに保持されているＲ３試薬容器２３のＲ３試薬の試薬情報とをＩＣタグ２５に記録した例を示したが、本発明はこれに限られない。本発明では、３つ以上の試薬情報を１つのＩＣタグに記録してもよい。
【０１４１】
また、上記第１および第２実施形態では、２５個のＲ１試薬容器２２と、２５個のＲ３試薬容器２３と、２５個のＲ２試薬容器２４とを設けた例を示したが、本発明はこれに限られない。本発明では、Ｒ１試薬容器とＲ３試薬容器とＲ２試薬容器との各々の個数を異ならせてもよい。また、Ｒ１試薬容器（Ｒ３試薬容器、Ｒ２試薬容器）の個数は、２５個以外でもよい。たとえば、Ｒ１試薬容器とＲ３試薬容器とＲ２試薬容器とが各々１個のみ設けられていてもよい。
【０１４２】
また、上記第１および第２実施形態では、２列の試薬容器保持部（Ｒ１／Ｒ３設置部１８およびＲ２設置部１９）が配置された例を示したが、３列以上の試薬容器保持部が配置された構成であってもよい。
【０１４３】
また、上記第１および第２実施形態では、内側回転駆動部１６ｄおよび外側回転駆動部１６ｅによって、Ｒ１／Ｒ３設置部１８およびＲ２設置部１９をそれぞれ回転させた例を示したが、本発明はこれに限られない。本発明では、Ｒ１／Ｒ３設置部およびＲ２設置部を回転させないように構成する一方、アンテナ部（電波発信部）を回転させるための駆動部を設けることによって、電波発信部を回転させてもよい。この際、隣接するＲ２容器の間の間隙がＲ１／Ｒ３設置部のＲ１試薬容器と電波発信部とが対向する領域に位置するのが好ましい。
【０１４４】
また、上記第２実施形態では、リーダライタ基板３１７ａからアンテナ基板３２１ｂへの送信出力を切り替えることによって、アンテナ部３２１から発信される読取用電波の読取範囲および書込用電波の書込範囲を切り替えた例を示したが、本発明はこれに限られない。たとえば、ＣＰＵにより金属板（制限部材）の切り欠きの形状および大きさを適宜調整することが可能なように構成するによって、読取用電波の読取範囲および書込用電波の書込範囲を切り替えるように構成してもよい。
【符号の説明】
【０１４５】
１、３０１  免疫分析装置
２ａ  ＣＰＵ
１６ｅ  外側回転駆動部
１７、３１７  ＲＦＩＤモジュール
１８  Ｒ１／Ｒ３設置部
１９  Ｒ２設置部
２０  短距離アンテナ部
２１  長距離アンテナ部
２２  Ｒ１試薬容器
２３  Ｒ３試薬容器
２４  Ｒ２試薬容器
２５  ＩＣタグ
２６  ＩＣタグ
２００、４００  試薬情報読取部
２００ａ、４００ａ  電波発信部
３２１  アンテナ部
Ａ、Ｇ  範囲
Ｂ、Ｈ  範囲
Ｅ  領域
【図１】
0005558153.tif 000002
【図２】
0005558153.tif 000003
【図３】
0005558153.tif 000004
【図４】
0005558153.tif 000005
【図５】
0005558153.tif 000006
【図６】
0005558153.tif 000007
【図７】
0005558153.tif 000008
【図８】
0005558153.tif 000009
【図９】
0005558153.tif 000010
【図１０】
0005558153.tif 000011
【図１１】
0005558153.tif 000012
【図１２】
0005558153.tif 000013
【図１３】
0005558153.tif 000014
【図１４】
0005558153.tif 000015
【図１５】
0005558153.tif 000016
【図１６】
0005558153.tif 000017
【図１７】
0005558153.tif 000018
【図１８】
0005558153.tif 000019
【図１９】
0005558153.tif 000020
【図２０】
0005558153.tif 000021
【図２１】
0005558153.tif 000022
【図２２】
0005558153.tif 000023
【図２３】
0005558153.tif 000024
【図２４】
0005558153.tif 000025
【図２５】
0005558153.tif 000026
【図２６】
0005558153.tif 000027